(57)【要約】【課題】入水温度センサを搭載していない機種のガス燃焼装置においても、ガス種を自動判定し得るガス種判定方法を提供する。【解決手段】カラン開で燃焼器の燃焼出力が出湯温度に基づくＦＢ制御状態のとき、検出入水流量Ｑｉ、燃焼出力Ｇｉ、検出出湯温度Ｔｈｉを記憶更新し（Ｓ１）、検出入水流量が変化したとき（Ｓ２でＹＥＳ）、その変化前後で検出出湯温度Ｔｈｉが変化しなかったことを条件に判定データを設定する（Ｓ３でＮＯ，Ｓ４）。前回の入水流量値をＱｂに、前回の燃焼出力値をＧｂに、今回の検出入水流量値をＱａに、今回の燃焼出力値をＧａに設定する。下式を満足する場合にはガス種は高カロリーガスである「１３Ａ」であると判定し（Ｓ５でＹＥＳ、Ｓ６）、満足しない場合にはガス種は低カロリーガスである「１２Ａ」であると判定する（Ｓ５でＮＯ，Ｓ７）。（Ｑａ／Ｑｂ）＞｛（Ｇａ／Ｇｂ）×α｝　但し、αは熱効率に関する定数。【選択図】　　　図２
2004061026.tif 000002
【特許請求の範囲】
【請求項１】
燃料ガスを燃焼させる燃焼器からの燃焼熱により入水を加熱して出湯させるように構成され、出湯温度の検出値が設定出湯温度になるように上記燃焼器での燃焼出力をＦＢ制御するように構成されているガス燃焼装置のガス種判定方法であって、
上記燃焼器の燃焼運転中に入水又は出湯の通水流量を監視し、出湯先での要求流量の変化に応じて通水流量の検出値が変化したとき、その通水流量の変化前後の上記ＦＢ制御上の両燃焼出力と、両通水流量との対比に基づいて燃焼器に供給されている上記燃料ガスのガス種を判定するようにする
ことを特徴とするガス燃焼装置におけるガス種判定方法。
【請求項２】
請求項１に記載のガス燃焼装置におけるガス種判定方法であって、
通水流量の検出値が変化したとき、出湯温度の検出値がその通水流量の変化前後で変化していないことを条件として、ガス種の判定を実行するようにする、ガス燃焼装置におけるガス種判定方法。
【請求項３】
請求項１又は請求項２に記載のガス燃焼装置におけるガス種判定方法であって、
上記燃焼器に供給される可能性のある燃料ガスが高カロリーガス種と、低カロリーガス種との２種類であり、ガス種の判定がこの２種類のガス種のいずれかを判定するものであるとき、
上記通水流量の変化前の検出通水流量に対する変化後の検出通水流量の比率が、通水流量の変化前の燃焼出力に対する変化後の燃焼出力の比率に熱効率に関する所定の定数を乗じた値よりも大きい場合には高カロリーガス種と判定する一方、小さい場合には低カロリーガス種と判定するようにする、ガス燃焼装置におけるガス種判定方法。
【請求項４】
燃料ガスを燃焼させる燃焼器からの燃焼熱により入水を加熱して出湯させるように構成され、出湯温度の検出値が設定出湯温度になるように上記燃焼器での燃焼出力をＦＢ制御するように構成されているガス燃焼装置のガス種判定方法であって、
上記ＦＢ制御における設定出湯温度を強制的に変更し、その変更前後の出湯温度の両検出値の変化を監視して記憶し、その変化前後の出湯温度の両検出値と、この出湯温度が変化する前後の上記ＦＢ制御上の両燃焼出力との対比に基づいて燃焼器に供給されている上記燃料ガスのガス種を判定するようにする
ことを特徴とするガス燃焼装置におけるガス種判定方法。
【請求項５】
請求項４に記載のガス燃焼装置におけるガス種判定方法であって、
入水又は出湯の通水流量を監視し、上記設定出湯温度を強制的に変更したとき、上記通水流量の検出値が上記出湯温度の検出値の変化前後で変化していないことを条件として、ガス種の判定を実行するようにする、ガス燃焼装置におけるガス種判定方法。
【請求項６】
請求項４又は請求項５に記載のガス燃焼装置におけるガス種判定方法であって、
上記燃焼器に供給される可能性のある燃料ガスが高カロリーガス種と、低カロリーガス種との２種類であり、ガス種の判定がこの２種類のガス種のいずれかを判定するものであるとき、
上記出湯温度の両検出値の変化前後の温度差に通水流量を乗じて得られる受熱変化量が、上記変化前後の両燃焼出力の差に基づく発熱変化量に熱効率に関する所定の定数を乗じたものよりも大きい場合には高カロリーガス種と判定する一方、小さい場合には低カロリーガス種と判定するようにする、ガス燃焼装置におけるガス種判定方法。
【発明の詳細な説明】
【０００１】
【発明の属する技術分野】
本発明は、都市ガスを燃料ガスとして燃焼する燃焼器からの燃焼熱により入水を加熱して出湯させるガス燃焼装置において、上記燃焼器に接続されて供給される都市ガスのガス種を判定するために用いられるガス種判定方法に関する。
【０００２】
【従来の技術】
従来、この種のガス燃焼装置ではガス供給管等に接続されて使用に供される際にガス種を判定し、供給されるガス種に適応した燃焼制御を実行するようにされたものがある。すなわち、各家庭等に対しては通常は発熱量が８８００Ｋｃａｌ／Ｎｍ３の「１２Ａ」及び発熱量が１１０００Ｋｃａｌ／Ｎｍ３の「１３Ａ」のいずれかの都市ガスが供給されており、例えばある種のガス瞬間式給湯器では使用に当たり燃焼運転中の各種パラメータの検出値に基づいて制御上でガス種を判定し、判定結果に基づいて以後の燃焼制御での演算に用いる制御定数等をガス種に適合した値に自動設定することも行われている。つまり、ガス種が１２Ａ又は１３Ａの供給地域毎に異なる制御仕様の給湯器製品を市場に供給するのではなくて、ガス種の自動判定機能を備えた同一仕様の給湯器製品を市場に供給するようにしている。
【０００３】
上記の場合のガス種判定では、ある燃焼出力で燃焼運転させた場合の入水温度、出湯温度及び通水流量の各検出値に基づいて実際の受熱量を演算し、この演算値と上記燃焼出力との対比により、供給されている都市ガスのガス種は１２Ａか１３Ａかのいずれであるかを判定するようにしている。
【０００４】
【発明が解決しようとする課題】
ところが、上記のガス燃焼装置におけるガス種判定方法においては、必要な検出パラメータが入水温度、出湯温度及び通水流量の３つであるため、２つの温度センサと１つの流量センサとを必要としている。このため、これらの内のいずれかを備えない機種のガス燃焼装置においてはガス種判定を行い得ず、上記の如き同一仕様での市場への供給も行い得ない。
【０００５】
すなわち、上記の如き２つの温度センサと１つの流量センサとを備えた機種の瞬間式給湯器においては、通常は、燃焼制御としてまずＦＦ制御により燃焼を開始し、次いでＦＢ制御に移行するものが採用されることが多い。このため、かかる燃焼制御の必要のために上記の２つの温度センサと１つの流量センサとを備え、これら配設されている３つのセンサを用いてガス種判定をも行うようにされている。
【０００６】
一方、簡易仕様の機種の瞬間式給湯器では、その燃焼制御としてＦＦ制御は用いずにＦＢ制御のみを実行し、このＦＢ制御のみで出湯温度温度の調整を行うものがある。この場合には、出湯温度センサの検出値に基づいて燃焼出力をＦＢ制御して出湯温度が設定出湯温度になるように燃焼制御するようになっており、入水温度センサは不要となるため設けられてはいない。このため、ガス種判定を行おうとしても上記の自動判定機能を適用することはできず、ガス供給管を接続した後にその地域のガス種を確認して手作業にて入力設定するか、供給ガス種別に制御仕様の異なる機種を製造して供給するかして対処する必要がある。
【０００７】
本発明は、このような事情に鑑みてなされたものであり、その目的とするところは、入水温度センサを搭載していない機種のガス燃焼装置においても、ガス種判定を自動で行い得るガス種判定方法を提供することにある。
【０００８】
【課題を解決するための手段】
上記目的を達成するために、以下の各発明では、燃料ガスを燃焼させる燃焼器からの燃焼熱により入水を加熱して出湯させるように構成され、出湯温度の検出値が設定出湯温度になるように上記燃焼器での燃焼出力をＦＢ制御するように構成されているガス燃焼装置のガス種判定方法を対象として、次の各特定事項を備えるものとした。
【０００９】
すなわち、第１の発明では、上記燃焼器の燃焼運転中に入水又は出湯の通水流量を監視し、出湯先での要求流量の変化に応じて通水流量の検出値が変化したとき、その通水流量の変化前後の上記ＦＢ制御上の両燃焼出力と、両通水流量との対比に基づいて燃焼器に供給されている上記燃料ガスのガス種を判定するようにした（請求項１）。
【００１０】
この第１の発明によれば、入水温度についての検出値を必要とすることなくガス種の自動判定を行い得ることになる。すなわち、出湯先での要求流量の変化、つまり例えば出湯先のカランがより大きく開側に変更操作されこれに伴い通水流量の検出値が変化すると、同じ燃焼出力では出湯温度が低下するため、設定出湯温度に維持するためにＦＢ制御上の燃焼出力がより大きく変更されることになる。このため、変化前後の実際の通水流量の変化と、この通水流量の変化に対応して出湯温度を設定出湯温度に維持するように変更されるＦＢ制御上の燃焼出力の変化とを対比することでガス種の判定が可能になる。つまり、ガスカロリー（発熱量）が相対的に低いと、通水流量の変化に伴い設定出湯温度の維持のために、より大きい燃焼出力の変更がＦＢ制御により行われるものの、ガスカロリーが相対的に高いと、低い場合に比して燃焼出力はそれほど大きい変更は不要となる。従って、これらの変化の対比によりガス種の自動判定が可能になる。
【００１１】
なお、このようなガス種の自動判定はガス燃焼装置の例えば設置時の試運転の際に実行させることができ、また、使用過程のいずれの段階においても反復して実行して確認させることもできる（第２の発明において同じ）。
【００１２】
上記第１の発明においては、通水流量の検出値が変化したとき、出湯温度の検出値がその通水流量の変化前後で変化していないことを条件として、ガス種の判定を実行するようにしてもよい（請求項２）。つまり、ＦＢ制御が正常に実行されていれば、通水流量の変化により燃焼出力が変更されて出湯温度が設定出湯温度に収束して維持されることになるが、この出湯温度が変化している過渡期での燃焼出力等に基づくガス種判定を除外するようにしたものである。このようにすることにより、より確実かつ正確なガス種判定が可能になる。
【００１３】
また、上記請求項１又は請求項２の第１の発明において、上記燃焼器に供給される可能性のある燃料ガスが高カロリーガス種と、低カロリーガス種との２種類であり、ガス種の判定がこの２種類のガス種のいずれかを判定する場合を対象とするときの具体的判定方法としては次のようにすればよい。すなわち、上記通水流量の変化前の検出通水流量に対する変化後の検出通水流量の比率が、通水流量の変化前の燃焼出力に対する変化後の燃焼出力の比率に熱効率に関する所定の定数を乗じた値よりも大きい場合には高カロリーガス種と判定する一方、小さい場合には低カロリーガス種と判定するようにする（請求項３）。つまり、低カロリーガス種であれば、検出通水流量の変化比率に対し、高カロリーガス種の場合よりも大きな燃焼出力の変更を要するため、燃焼出力の変化比率は大きくなる一方、高カロリーガス種であれば、逆に燃焼出力の変化比率は小さくなる。これを利用して低カロリーガス種であるか高カロリーガス種であるかのガス種判定が可能となる。
【００１４】
第２の発明では、上記ＦＢ制御における設定出湯温度を強制的に変更し、その変更前後の出湯温度の両検出値の変化を監視して記憶し、その変化前後の出湯温度の両検出値と、この出湯温度が変化する前後の上記ＦＢ制御上の両燃焼出力との対比に基づいて燃焼器に供給されている上記燃料ガスのガス種を判定するようにした（請求項４）。
【００１５】
この第２の発明によれば、第１の発明の場合と同様に、入水温度についての検出値を必要とすることなくガス種の自動判定を行い得ることになる。すなわち、設定出湯温度が変更されれば、出湯温度がその変更後の設定出湯温度になるように燃焼出力がＦＢ制御により変更され、出湯温度の検出値も上記変更後の設定出湯温度に収束して変更されることになる。このため、設定出湯温度の変更前後の実際の出湯温度の変化と、上記設定出湯温度の変更に対応して出湯温度を設定出湯温度に維持するように変更されるＦＢ制御上の燃焼出力の変化とを対比することでガス種の判定が可能になる。つまり、ガスカロリー（発熱量）が相対的に低いと、設定出湯温度の変更に伴い出湯温度を変更させるために、より大きい燃焼出力の変更がＦＢ制御により行われるものの、ガスカロリーが相対的に高いと、低い場合に比して燃焼出力はそれほど大きい変更は不要となる。従って、これらの変化の対比によりガス種の自動判定が可能になる。
【００１６】
この第２の発明においては、入水又は出湯の通水流量を監視し、上記設定出湯温度を強制的に変更したとき、上記通水流量の検出値が上記出湯温度の検出値の変化前後で変化していないことを条件として、ガス種の判定を実行するようにしてもよい（請求項５）。つまり、通水流量がほぼ一定であれば、ＦＢ制御に基づいて上記のガス種判定が正確に行われるものの、設定出湯温度の変更の際に出湯先での例えばカラン操作により通水流量も変化してしまうと、この通水流量の変化に起因する燃焼出力の変更がＦＢ制御により実行されてしまうため、これを除外するようにしたものである。このようにすることにより、より確実かつ正確なガス種判定が可能になる。
【００１７】
上記請求項４又は請求項５の第２の発明において、上記燃焼器に供給される可能性のある燃料ガスが高カロリーガス種と、低カロリーガス種との２種類であり、ガス種の判定がこの２種類のガス種のいずれかを判定する場合を対象とするときの具体的判定方法としては次のようにすればよい。すなわち、上記出湯温度の両検出値の変化前後の温度差に通水流量を乗じて得られる受熱変化量が、上記変化前後の両燃焼出力の差に基づく発熱変化量に熱効率に関する所定の定数を乗じたものよりも大きい場合には高カロリーガス種と判定する一方、小さい場合には低カロリーガス種と判定するようにする（請求項６）。つまり、低カロリーガス種であれば、実際の出湯温度の変化に基づく受熱変化量を確保する上で、高カロリーガス種の場合よりも大きな燃焼出力の変更を要するため、燃焼出力差に基づく発熱変化量は大きくなる一方、高カロリーガス種であれば、逆に燃焼出力の発熱変化量は小さくて済む。これを利用して低カロリーガス種であるか高カロリーガス種であるかのガス種判定が可能となる。
【００１８】
【発明の効果】
以上、説明したように、請求項１〜請求項３のいずれかのガス燃焼装置におけるガス種判定方法、又は、請求項４〜請求項６のいずれかのガス燃焼装置におけるガス種判定方法によれば、ガス種の自動判定を行う上で入水温度の検出値を不要とすることができ、入水温度センサが搭載されていないガス燃焼装置においてもガス種の自動判定を行うことができる。このため、入水温度センサが搭載されていないガス燃焼装置について、ガス種の別に拘わらず同一の制御仕様の製品として市場に供給することができる。
【００１９】
特に請求項１〜請求項３のいずれかによれば、通水流量の変更を例えば手動にて行うことによりガス種の自動判定を実行させることができ、また、請求項４〜請求項６のいずれかによれば、設定出湯温度の変更を例えばリモコン等により手動にて行うか、あるいは、自動判定のための制御ルーチンに仮想の設定出湯温度の変更を予め組み込んでおくことによりガス種の自動判定を実行させることができる。
【００２０】
中でも、請求項２又は請求項５の条件を追加することにより、より確実にかつ正確なガス種判定を行うことができる。また、請求項３又は請求項６によれば、低カロリーガス種と高カロリーガス種との２種類のガス種判定の場合の具体的判定方法を提供することができる。
【００２１】
【発明の実施の形態】
以下、本発明の実施形態を図面に基づいて詳細に説明する。図１は本発明の実施形態を実施するガス燃焼装置の例としてガス瞬間式給湯器の模式図を示している。
【００２２】
上記給湯器は、ガス供給路２を通して供給される燃焼ガスを燃焼器３により燃焼させ、この燃焼熱により入水路４を通して熱交換器５に入水される水を熱交換加熱した上で、出湯路６に出湯させるようになっている。上記ガス供給路２の上流端の接続部に対し都市ガスの供給管が接続され、都市ガスが燃料ガスとして燃焼器３に対しガス比例弁２１を介して供給される。このガス比例弁２１の変更調整により燃焼器３での燃焼出力が変更されるようになっている。また、上記入水路４の上流端の接続部に対し例えば水道管が接続されて、水道水が上記熱交換器５に入水され、上記出湯路６の下流端の接続部に各種カラン等への給湯配管が接続されて、出湯路６に出湯された湯が上記各種カランに給湯されるようになっている。
【００２３】
上記入水路４には入水流量（通水流量）を検出する入水流量センサ４１が介装され、出湯路６には出湯温度を検出する出湯温度センサ６１と、流量調整弁６２とが介装されている。そして、上記入水流量センサ４１及び出湯温度センサ６１の各検出値に基づいて、上記ガス比例弁２１の作動制御に基づく燃焼器３の燃焼制御や、上記流量調整弁６２による流量調整がコントローラ７により行われるようになっている。
【００２４】
上記コントローラ７は、上記各種カランの近傍位置に設置されたリモコン７１と接続され、上記各種カランへの出湯温度が設定出湯温度になるように燃焼器３の燃焼を制御する給湯制御部７２と、記憶部７３と、ガス供給路２に供給されているガス種（本実施形態では都市ガス種別が「１２Ａ」か「１３Ａ」か）を判定するガス種判定部７４ａ，７４ｂとを備えたものである。
【００２５】
上記給湯制御部７２は上記出湯温度センサ６１による検出値がリモコン７１等にユーザーが入力設定した設定出湯温度になるようにガス比例弁２１の開度をＦＢ制御して燃焼器３からの燃焼出力を変更制御するようになっている。
【００２６】
上記記憶部７３は、各種設定値等が予め記憶されている一方、特にガス種判定部７４ａ，７４ｂによるガス種判定のために、少なくともガス種判定部７４ａ，７４ｂによるガス種判定が実行されている間は入水流量センサ４１からの検出入水流量と、出湯温度センサ６１からの検出出湯温度と、給湯制御部７２により制御される燃焼出力との履歴を更新記憶するようになっている。
【００２７】
＜第１実施形態＞
図２には、第１実施形態のガス種判定部７４ａによる判定処理のフローチャートが示されている。
【００２８】
以下、図２を参照しつつ、ガス種判定部７４ａによるガス種の自動判定について説明する。まず、上記カランが開かれ入水流量センサ４１が最低作動流量以上の流れを検出して給湯制御部７２により燃焼器３が燃焼作動されてその燃焼出力がＦＢ制御により制御された状態で、入水流量センサ４１の検出入水流量Ｑｉ（ｉ＝１〜）と、その時の燃焼出力（ＦＢ制御により制御された燃焼出力；以下同じ）Ｇｉと、その時の出湯温度センサ６１の検出出湯温度Ｔｈｉとを記憶部７３に制御サイクル毎に記憶する（ステップＳ１）、この記憶は、上記の検出入水流量Ｑｉの今回値が前回値から変化するまで繰り返し行い（ステップＳ２でＮＯ）、変化があればステップＳ３に進む（ステップＳ２でＹＥＳ）。この検出入水流量の変化はユーザーが現実に使用開始してそのカラン操作に基づいてより大きく開くか、試運転時に作業者が手動にて意図的に開くかによって生じる。
【００２９】
ステップＳ３では、さらに上記検出入水流量Ｑｉの変化前後で対応する検出出湯温度Ｔｈｉが変化したか否かを判別し、変化したのであればガス種判定を中止してステップＳ１に戻る一方（ステップＳ３でＹＥＳ）、変化していない場合には判定データの設定を行う（ステップＳ３でＮＯ、ステップＳ４）。判定データの設定は、前回の検出入水流量値Ｑｉ−１をＱｂに、前回の燃焼出力値Ｇｉ−１をＧｂに、今回の検出入水流量値ＱｉをＱａに、今回の燃焼出力値ＧｉをＧａにそれぞれ設定する。
【００３０】
そして、下記の（１）式を満足する場合にはガス種は高カロリーガスである「１３Ａ」であると判定し（ステップＳ５でＹＥＳ、ステップＳ６）、満足しない場合にはガス種は低カロリーガスである「１２Ａ」であると判定する（ステップＳ５でＮＯ、ステップＳ７）。
【００３１】
（Ｑａ／Ｑｂ）＞｛（Ｇａ／Ｇｂ）×α｝　……（１）
なお、αは熱効率に関する定数（例えば「０．９０」；９０％の熱効率）である。
【００３２】
ここで、上記の（１）式について説明を加えると、例えばカラン操作等により入水流量が変化したとき、入水路４に入水する入水温度Ｔｃが一定であると仮定し、その入水流量の変化に対応して給湯制御部７２でのＦＢ制御により出湯温度Ｔｈが設定出湯温度に維持されるように燃焼出力が正確に変更されると仮定し、かつ、熱効率が１００％（α＝１．００）であると仮定すると、次の（２）式が成立する。
【００３３】
｛Ｑａ×（Ｔｈ−Ｔｃ）｝／｛Ｑｂ×（Ｔｈ−Ｔｃ）｝＝Ｇａ／Ｇｂ　……（２）
この（２）式では（Ｔｈ−Ｔｃ）が分母・分子で共通するため、両者を消去すると、次の（３）式が得られる。
【００３４】
Ｑａ／Ｑｂ＝Ｇａ／Ｇｂ　……（３）
この（３）式において、低カロリーガス（１２Ａ）の場合であると、入水流量の変化（例えば増大変化）に対し、その水に与える熱量を発現させる上で高カロリーガス（１３Ａ）よりも多い増分の燃焼出力の変更を要し、入水流量の変化比率（Ｑａ／Ｑｂ）以上の変化比率（Ｇａ／Ｇｂ）で燃焼出力の変更を要することになる。つまり、（３）式の右辺が左辺よりも大きくなる。そこで、熱効率に関する定数αを加味して、上記（１）式によるガス種判定が成立する。
【００３５】
＜第２実施形態＞
図３には、第２実施形態のガス種判定部７４ｂによる判定処理のフローチャートが示されている。
【００３６】
以下、図３を参照しつつ、ガス種判定部７４ｂによるガス種の自動判定について説明する。まず、上記カランが開かれ入水流量センサ４１が最低作動流量以上の流れを検出して給湯制御部７２により燃焼器３が燃焼作動されてその燃焼出力がＦＢ制御により制御された状態で、入水流量センサ４１の検出入水流量Ｑｉ（ｉ＝１〜）と、その時の燃焼出力（ＦＢ制御により制御された燃焼出力；以下同じ）Ｇｉと、その時の出湯温度センサ６１の検出出湯温度Ｔｈｉとを記憶部７３に制御サイクル毎に記憶する（ステップＳ１１）、この記憶は、上記の検出出湯温度Ｔｈｉの今回値が前回値から変化するまで繰り返し行い（ステップＳ１２でＮＯ）、変化があればステップＳ１３に進む（ステップＳ１２でＹＥＳ）。この検出出湯温度の変化はユーザーが現実に使用開始してそのリモコン７１の操作により設定出湯温度を変更するか、試運転時に作業者が手動にて意図的に変更するか、あるいは、ステップＳ１１とＳ１２との間に強制的に設定出湯温度の変更処理を実行させるによって生じる。
【００３７】
ステップＳ１３では、さらに上記検出出湯温度Ｔｈｉの変化前後で対応する検出入水流量Ｑｉが変化したか否かを判別し、変化したのであればガス種判定を中止してステップＳ１１に戻る一方（ステップＳ１３でＹＥＳ）、変化していない場合には判定データの設定を行う（ステップＳ１３でＮＯ、ステップＳ１４）。判定データの設定は、前回の検出出湯温度Ｔｈｉ−１をＴｈｂに、前回の燃焼出力値Ｇｉ−１をＧｂに、今回の検出出湯温度ＴｈｉをＴｈａに、今回の燃焼出力値ＧｉをＧａにそれぞれ設定する。
【００３８】
そして、下記の（１１）式又は（１１）′式を満足する場合にはガス種は高カロリーガスである「１３Ａ」であると判定し（ステップＳ１５でＹＥＳ、ステップＳ１６）、満足しない場合にはガス種は低カロリーガスである「１２Ａ」であると判定する（ステップＳ１５でＮＯ、ステップＳ１７）。
【００３９】
｛（Ｔｈａ／Ｔｈｂ）×Ｑ｝／（Ｇａ−Ｇｂ）＞β　……（１１）
あるいは、
｛（Ｔｈａ／Ｔｈｂ）×Ｑ｝＞（Ｇａ−Ｇｂ）×β　……（１１）′
なお、βは熱効率に関する定数（例えば「０．９０」；９０％の熱効率）であり、Ｑ＝Ｑｉで一定である。
【００４０】
ここで、上記の（１１）式について説明を加えると、設定出湯温度が変更されたとき、給湯制御部７２によるＦＢ制御により燃焼出力が変更されて出湯温度が変更後の設定出湯温度に対応して変化するが、この際、入水路４に入水する入水温度Ｔｃが一定であると仮定し、入水流量Ｑも変化せずに一定に維持されると仮定し、かつ、熱効率が１００％（α＝１．００）であると仮定すると、次の（１２）式が成立する。
【００４１】
｛（Ｔｈａ−Ｔｈｂ）×Ｑ｝＝（Ｇａ−Ｇｂ）　……（１２）
この（１２）式において、低カロリーガス（１２Ａ）の場合であると、設定出湯温度の変更（例えば高温側変更）に対し、水に与える熱量を発現させる上で高カロリーガス（１３Ａ）よりも多い増分の燃焼出力の変更を要し、受熱変化量（（１２）式の左辺）以上の発熱変化量（Ｇａ−Ｇｂ）で燃焼出力の変更を要することになる。つまり、（１２）式の右辺が左辺よりも大きくなる。そこで、熱効率に関する定数βを加味して、上記（１１）′式によるガス種判定が成立する。なお、（１１）式は（１１）′式を単に変化させたものに過ぎない。
【００４２】
＜他の実施形態＞
なお、本発明は上記第１及び第２実施形態に限定されるものではなく、その他種々の実施形態を包含するものである。すなわち、上記第１又は第２実施形態では、熱効率に関する定数α，βとして「０．９０」を設定しているが、これは単なる例示に過ぎず、ガス種判定を適用するガス燃焼装置に応じて適切な値を設定すればよい。
【００４３】
また、上記第１又は第２実施形態では、ガス種判定の対象を１３Ａと１２Ａとの２種類の都市ガスである場合を説明したが、対象となるガスの発熱量に相違があれば上記の都市ガスに限らず他のガスについてもガス種の判定を行うことができる。
【図面の簡単な説明】
【図１】本発明の実施形態を実施する給湯器の例を示す模式図である。
【図２】第１実施形態のガス種判定のフローチャートである。
【図３】第２実施形態のガス種判定のフローチャートである。
【符号の説明】
２　　　　　ガス供給路
３　　　　　燃焼器
２１　　　　ガス比例弁
４１　　　　入水流量センサ
６１　　　　出湯温度センサ
【図１】
2004061026.tif 000003
【図２】
2004061026.tif 000004
【図３】
2004061026.tif 000005